(57)【要約】【課題】装飾図柄表示装置の前面に進出した演出用役物装置が目立つパチンコ遊技機を提供する。【解決手段】演出用役物装置１５５は、表面に暗色部と明色部とからなる模様が形成され、前記装飾図柄表示装置の前面に進退出する基板と、前記基板の前面に配設され、暗色着色部と透光部とからなる模様が形成された前面部材を有し、前記基板及び前面部材の少なくとも一方が回転し、前記前面部材が前記基板に対して相対回転動するように構成されている。前面部材の基板に対する相対回転動に伴い、前面部材の暗色着色部及び透光部が、順次、基板の暗色部及び明色部上を横切るので、暗色部及び明色部と、暗色着色部及び透光部が一致・不一致を繰り返し、刻々と模様が変化しているように見える。このため、従来に無い斬新な印象を遊技者に与え、装飾図柄表示装置の前面に進出した演出用役物装置１５５が目立つ。【選択図】図６
2011130792.tif 000002
【特許請求の範囲】
【請求項１】
装飾図柄表示装置を備え、表面に複数の遊技釘が打ち付けられた遊技盤と、
前記装飾図柄表示装置の前面に進退出する演出用役物装置とを有し、
前記遊技盤に遊技球を発射して遊技を行うパチンコ遊技機において、
前記演出用役物装置は、
表面に暗色部と明色部とからなる模様が形成され、前記装飾図柄表示装置の前面に進退出する基板と、
前記基板の前面に配設され、暗色着色部と透光部とからなる模様が形成された前面部材を有し、
前記基板及び前面部材の少なくとも一方が回転し、前記前面部材が前記基板に対して相対回転動するように構成されていることを特徴とするパチンコ遊技機。
【請求項２】
暗色部と明色部及び暗色着色部と透光部が放射状に形成されていることを特徴とする請求項１に記載のパチンコ遊技機。
【請求項３】
暗色部と明色部及び暗色着色部と透光部の少なくとも一方が、回転動中心を通る半径に対して傾いて形成されていることを特徴とする請求項１又は請求項２に記載のパチンコ遊技機。
【発明の詳細な説明】
【技術分野】
【０００１】
本発明は、パチンコ遊技機の演出用役物装置の改良に関する。
【背景技術】
【０００２】
従来から、特許文献１に示されるように、遊技の進行に応じて装飾図柄表示装置の前面に進出し、回転する演出用役物装置が知られている。このような演出用役物装置は、リーチ時等に作動することにより、遊技者に大当たりへの期待感を抱かせる効果がある。
【先行技術文献】
【特許文献】
【０００３】
【特許文献１】特開２００９―１９５３９０号公報
【発明の概要】
【発明が解決しようとする課題】
【０００４】
しかしながら、近年においては、装飾図柄表示装置が大型化し、更に、装飾図柄表示装置で表示する各種演出画像によって、装飾図柄表示装置の前面に進出した演出用役物装置が目立たないという問題があった。
本発明は、上記問題を解決し、装飾図柄表示装置の前面に進出した演出用役物装置が目立つパチンコ遊技機を提供する。
【課題を解決するための手段】
【０００５】
上記課題を解決するためになされた請求項１に記載の発明は、
装飾図柄表示装置を備え、表面に複数の遊技釘が打ち付けられた遊技盤と、
前記装飾図柄表示装置の前面に進退出する演出用役物装置とを有し、
前記遊技盤に遊技球を発射して遊技を行うパチンコ遊技機において、
前記演出用役物装置は、
表面に暗色部と明色部とからなる模様が形成され、前記装飾図柄表示装置の前面に進退出する基板と、
前記基板の前面に配設され、暗色着色部と透光部とからなる模様が形成された前面部材を有し、
前記基板及び前面部材の少なくとも一方が回転し、前記前面部材が前記基板に対して相対回転動するように構成されていることを特徴とする。
【０００６】
請求項２に記載の発明は、請求項１に記載の発明において、
暗色部と明色部及び暗色着色部と透光部が放射状に形成されていることを特徴とする。
これにより、前面部材が基板に対して相対回転動すると、放射状に点滅しているように見え、遊技者に幻想的な印象を与え、装飾図柄表示装置の前面に進出した演出用役物装置が目立つ。
【０００７】
請求項３に記載の発明は、請求項１又請求項２に記載の発明において、
暗色部と明色部及び暗色着色部と透光部の少なくとも一方が、回転動中心を通る半径に対して傾いて形成されていることを特徴とする。
これにより、暗色部と暗色着色部が複雑に絡み合って見える。また、前面部材が基板に対して相対回転動すると、明色部と透光部が一致する多数の明色領域が、同時に、演出用役物装置の中心から外側又は、外側から中心側に移動しているように見え、遊技者に幻想的な印象を与え、装飾図柄表示装置の前面に進出した演出用役物装置が目立つ。
【発明の効果】
【０００８】
本発明によれば、前面部材の基板に対する相対回転動に伴い、前面部材の暗色着色部及び透光部が、順次、基板の暗色部及び明色部上を横切るので、暗色部及び明色部と、暗色着色部及び透光部が一致・不一致を繰り返し、刻々と模様が変化しているように見える。このため、従来に無い斬新な印象を遊技者に与え、装飾図柄表示装置の前面に進出した演出用役物装置が目立つ。
【図面の簡単な説明】
【０００９】
【図１】パチンコ遊技機の正面図である。
【図２】演出用役物装が装飾図柄表示装置の前面に進出した状態のパチンコ遊技機の正面図である。
【図３】演出用役物装の正面図及び裏面図である。
【図４】基板の正面図である。（第１の実施形態）
【図５】前面部材の正面図である。（第１の実施形態）
【図６】前面部材を回転させた状態の回転部の説明図である。（第１の実施形態）
【図７】基板の正面図である。（第２の実施形態）
【図８】前面部材の正面図である。（第２の実施形態）
【図９】前面部材を回転させた状態の回転部の説明図である。（第２の実施形態）
【発明を実施するための形態】
【００１０】
（パチンコ遊技機の構成）
以下に図面を参照しつつ、本発明の好ましい実施の形態を示す。本発明のパチンコ遊技機１は、前面に遊技盤１１０を備える遊技機本体と、この遊技機本体の前面に取り付けられた前面枠２００とから構成されている。前面枠２００はガラス板２０１を保持している。ガラス板２０１を通して、遊技盤１１０が遊技者に視認されるようになっている。
【００１１】
遊技盤１１０の略中央には、ＬＣＤ（Ｌｉｑｕｉｄ  Ｃｒｙｓｔａｌ  Ｄｉｓｐｌａｙ）等の画像表示装置で構成された装飾図柄表示装置１１１が設けられている。装飾図柄表示装置１１１には、それぞれの遊技状態に応じた「動画」が表示されるとともに、後述する第１始動口１１４や第２始動口１１５への遊技球の入賞に伴って、「装飾図柄」の変動表示や、「演出動画」が表示されるようになっている。なお、「装飾図柄」の変動表示は、例えば３つの数字等の「装飾図柄」をそれぞれスクロール表示（変動表示）するとともに、所定時間経過後に前記スクロール表示を停止させて、特定の「装飾図柄」を並列表示する動画である。また、「演出動画」の表示は、前記「装飾図柄」の変動表示とともに、演出動画を重畳して表示したものであり、大当たりに当選するかもしれないという期待感を遊技者に与える動画である。「装飾図柄」の変動中には、あたかも遊技者に現在大当たりの抽選を行っているかの印象を与え、「装飾図柄」の変動停止時には、停止した「装飾図柄」によって、遊技者に大当たりの抽選結果が報知される。
【００１２】
遊技盤１１０の装飾図柄表示装置１１１の周囲は、遊技領域１１２となっていて、多数の遊技釘１１０ａが打ち付けられている。また、遊技領域１１２には、遊技球の落下方向を変化させる風車１１３が設けられている。遊技釘１１０ａや風車１１３によって、遊技球は遊技領域１１２を予測不能に落下するようになっている。
【００１３】
装飾図柄表示装置１１１の下方の遊技領域１１２には、第１始動口１１４、第２始動口１１５が設けられている。第１始動口１１４に遊技球が入賞する度に、「第１特別図柄」の変動が開始し、「第１特別図柄」の抽選が行われる。なお、「第１特別図柄」の抽選結果に応じ、装飾図柄表示装置１１１に「装飾図柄」の変動表示や「演出動画」が表示されるようになっている。
第２始動口１１５に遊技球が入賞する度に、「第２特別図柄」の変動が開始し、「第２特別図柄」の抽選が行われる。抽選結果に応じ、装飾図柄表示装置１１１に「装飾図柄」の変動表示や「演出動画」が表示されるようになっている。
【００１４】
遊技領域１１２には、入賞ゲート１１６が配設されている。遊技球が入賞ゲート１１６を通過すると、「普通図柄」の変動が開始し、可動片１１５ａ（電動チューリップともいう）を一定時間開放させる「普通図柄」の抽選が行われる。可動片１１５ａが閉塞していると、遊技球は第２始動口１１５に入賞しない。一方で、可動片１１５ａが開放すると、遊技盤１１０上を落下する遊技球が第２始動口１１５に入賞し易い状態になる。
【００１５】
遊技盤１１０上には、「特別図柄」の抽選に関係しない複数の一般入賞口１１９が設けられている。一般入賞口１１９に遊技球が入賞すると、所定個数の遊技球が払い戻されるようになっている。
【００１６】
第２始動口１１５の下方の遊技領域１１２には、大入賞口１１７が設けられている。大入賞口１１７は、通常は大入賞口開閉扉１１７ｃによって閉状態に維持され、遊技球の大入賞口１１７への入賞を不可能にしている。一方で、「大当たり遊技状態」が開始すると、大入賞口開閉扉１１７ｃが所定時間又は所定ラウンド開放され、遊技球が大入賞口１１７へ入賞し易い状態となる。大入賞口１１７に遊技球が入賞すると、予め設定された賞球（例えば１５個）が払い戻されるようになっている。
【００１７】
遊技領域１１２の最下部には、いずれの始動口や入賞口に入賞しなかった遊技球を回収する回収口１１８が設けられている。
【００１８】
遊技盤１１０には、演出用役物装置１５０が設けられている。演出用役物装置１５０は、
回転する回転部１５５（図２に示す）を有している。通常時には、回転部１５５は、遊技盤１１０の上部に（装飾図柄表示装置１１１の上方、外側に）位置している。リーチ状態時等には、図２に示されるように、回転部１５５が落下して、装飾図柄表示装置１１１の前面に進出し、回転して、模様が変化し、遊技者に大当たりへの期待感を与えるようになっている。回転部１５５の回転が終了すると、回転部１５５は、再び、装飾図柄表示装置１１１の外側に退避するようになっている。この演出用役物装置１５０については、後で詳細に説明する。
【００１９】
前面枠２００の下部には、手前側に膨出形成された受皿２０３が設けられている。受皿２０３は、貸し出された遊技球、払い戻された賞球、ファウル球を多数収納するものである。前面枠２００の下部には、遊技盤１１０上に遊技球を発射操作するためのハンドル２０２が回動自在に取り付けられている。遊技者がハンドル２０２を回動させると、遊技球が間欠的に発射され、当該遊技球が遊技盤１１０上に配設されたレール１３２、１３３間を上昇して遊技盤１１０の上部位置に達した後に、遊技領域１１２内を落下し、遊技が進行するようになっている。
【００２０】
（演出用役物装置の構造）
以下、図３を用いて、演出用役物装置１５０の構造について詳細に説明する。なお、図３において、（Ａ）は回転部１５５が上方に格納されている状態の演出用役物装置１５０の正面図、（Ｂ）は（Ａ）の裏面図、（Ｃ）は回転部１５５が装飾図柄表示装置１１１の前面に進出した状態の演出用役物装置１５０の正面図、（Ｄ）は（Ｃ）の裏面図である。図３に示されるように、演出用役物装置１５０は、基部１５１と、この基部１５１に上下方向にスライド可能に取り付けられたスライドレール１５２と、このスライドレール１５２に上下方向スライド可能に取り付けられた回転部１５５（第１の実施形態）とから構成されている。基部１５１は、スライドレール１５２及び回転部１５５を、下方に落下させ、或いは、上方に引き上げるための、モータと複数のギアを有している。
【００２１】
第１の実施形態の回転部１５５は、スライドレール１５２に上下方向スライド可能に取り付けられたベース部材１５９と、このベース部材１５９に取り付けられた基板１５７と、基板１５７の前面に配設され、ベース部材１５９に回転自在に取り付けられた円盤形状の前面部材１５６と、前面部材１５６を回転動させるモータ１５８（図３に示す）とから構成されている。モータ１５８が駆動すると、前面部材１５６が基板１５７に対して相対回転動する。なお、モータ１５８の回転数を減速させ前面部材１５６に回転力を伝達する複数のギアを設けても差し支えない。
【００２２】
（第１の実施形態の回転部）
図４〜図６を用いて、第１の実施形態の回転部１５５について説明する。図４や図５に示されるように、基板１５７及び前面部材１５６は円盤形状である。基板１５７はポリカーボネートやアクリル等の合成樹脂で構成されている。図４に示されるように、第１の実施形態の基板１５７表面には、同心状に内側から外側に、中心模様部１５７ａ、中間模様部１５７ｂ、外側模様部１５７ｃが形成されている。各模様部には、中心角が小さい扇形状の暗色部１５７ｄと明色部１５７ｅとが周方向交互に形成されている。言い換えると、各模様部には、扇形状の暗色部１５７ｄと明色部１５７ｅが交互に放射状に配置されている。図４に示される実施形態では、隣接する中心模様部１５７ａと中間模様部１５７ｂと、又は、中間模様部１５７ｂと外側模様部１５７ｃとでは、暗色部１５７ｄと明色部１５７ｅの配置を周方向ずらしている。暗色部１５７ｄは黒色等の暗色である。なお、本実施形態では、暗色部１５７ｄは黒色である。また、明色部１５７ｅは、白色、水色、オレンジ色、黄色等の明色である。
【００２３】
図５に示される実施形態では、前面部材１５７には、中心角が小さい扇形形状の暗色着色部１５６ａと透光部１５６ｂとが周方向交互に形成されている。暗色着色部１５６ａと透光部１５６ｂとから、前面部材１５７に模様が形成されている。暗色着色部１５６ａは黒色等の暗色である。本実施形態では、暗色着色部１５６ａは黒色である。本実施形態では、前面部材１５７は、ポリカーボネートやアクリル等の透明な合成樹脂に、暗色着色部１５６ａを形成することにより構成されている。図４〜図６に示される実施形態では、暗色部１５７ｄ、明色部１５７ｅ、暗色着色部１５６ａ、透光部１５６ｂの各中心角は同一角となっている。
【００２４】
次に図６を用いて、回転部１５５に現れる模様の変化について説明する。図６の（Ａ）に示されるように、基板１５７の中心模様部１５７ａ及び外側模様部１５７ｃの暗色部１５７ｄと、前面部材１５６の暗色着色部１５６ａとの位置が完全に一致すると、中心模様部１５７ａ及び外側模様部１５７ｃは完全に黒色に見える。この状態では、中間模様部１５７ｂが形成されている部分は、黒色と明色が交互に等角度に配置されているように見える。図６の（Ｂ）〜（Ｅ）に示されるように、前面部材１５６が基板１５７に対して回転し、基板１５７の中間模様部１５７ｂと前面部材１５６の暗色着色部１５６ａとの位置が完全に一致するまで、中間模様部１５７ｂの黒色部分が徐々に大きくなるとともに、中心模様部１５７ａ及び外側模様部１５７ｃの明色部１５７ｅが徐々に大きくなる。基板１５７の中間模様部１５７ｂと前面部材１５６の暗色着色部１５６ａとの位置が完全に一致した状態（図６の（Ｅ）の状態）から、更に、前面部材１５６が基板１５７に対して回転して、基板１５７の中心模様部１５７ａ及び外側模様部１５７ｃの暗色部１５７ｄと、前面部材１５６の暗色着色部１５６ａとの位置が完全に一致するまで、徐々に、中心模様部１５７ａ及び外側模様部１５７ｃの黒色部分が徐々に大きくなるとともに、中間模様部１５７ｂの明色部１５７ｅが大きくなる。
【００２５】
このように、前面部材１５６の基板１５７に対する回転に伴い、前面部材１５６の暗色着色部１５６ａ及び透光部１５６ｂが、順次、基板１５７の暗色部１５７ｄ及び明色部１５７ｅ上を横切るので、暗色部１５７ｄ及び明色部１５７ｅと、暗色着色部１５６ａ及び透光部１５６ｂが、一致・不一致を繰り返し、刻々と模様が変化しているように見える。
本実施形態では、基板１５７の暗色部１５７ｄ及び明色部１５７ｅと、前面部材１５６の暗色着色部１５６ａ及び透光部１５６ｂが放射状に形成されているので、前面部材１５６が回転すると、回転部１５５が放射状に点滅しているように見え、遊技者に幻想的な印象を与えるようになっている。
【００２６】
（第２の実施形態の回転部）
図７〜図９を用いて、第１の実施形態の回転部１５５と異なる点について第２の実施形態の回転部１６５について説明する。図７に示されるように、基板１６７表面には、同心状に内側から外側に順に、第１の模様部１６７ａ、第２の模様部１６７ｂ、第３の模様部１６７ｃ、第４の模様部１６７ｄ、第５の模様部１６７ｅが形成されている。各模様部には、中心角が小さい扇形状の暗色部１６７ｆと明色部１６７ｇとが周方向交互に配置されて構成されている。言い換えると、基板１６７上に、扇形状の暗色部１６７ｆと明色部１６７ｇが放射状に配置されている。図７に示される実施形態では、隣接する各模様部は、暗色部１６７ｆと明色部１６７ｇの配置が周方向ずれている。
【００２７】
図８に示されるように、前面部材１６６表面には、同心状に内側から外側方向に向かって順番に、第１の模様部１６６ａ、第２の模様部１６６ｂ、第３の模様部１６６ｃ、第４の模様部１６６ｄ、第５の模様部１６６ｅが形成されている。第１の模様部１６６ａ、第３の模様部１６６ｃ、第５の模様部１６６ｅには、中心角が小さい扇形状の暗色着色部１６６ｆと透光部１６６ｇとが周方向交互に形成されている。言い換えると、各模様部には、扇形状の暗色着色部１６６ｆと透光部１６６ｇが交互に放射状に形成されている。図８に示される実施形態では、第２の模様部１６６ｂ、第４の模様部１６６ｄには、前面部材１６６の回転動中心を通る半径に対して傾斜した暗色着色部１６６ｆと透光部１６６ｇが周方向交互に形成されている。図８に示される実施形態では、隣接する各模様部は、暗色着色部部１６６ｆと透光部１６６ｇの配置が周方向ずれている。図７及び図８に示される実施形態では、基板１６７及び前面部材１６６の各模様部の半径方向の幅は一致し、基板１６７及び前面部材１６６の各模様部が合致している。
【００２８】
次に図９を用いて、回転部１６５に現れる模様の変化について説明する。図９に示されるように、前面部材１６６の基板１６７に対する回転に伴い、前面部材１６６の暗色着色部１６６ｆ及び透光部１６６ｇが、順次、基板１６７の暗色部１６７ｆ及び明色部１６７ｇ上を横切るので、暗色部１６７ｆ及び明色部１６７ｇと、暗色着色部１６６ｆ及び透光部１６６ｇが一致・不一致を繰り返し、刻々と模様が変化しているように見える。第２の模様部１６６ｂ、第４の模様部１６６ｄでは、暗色着色部１６６ｆ及び透光部１６６ｇは半径に対して傾斜しているので、暗色部１６７ｆと暗色着色部１６６ｆが複雑に絡み合って見える。また、前面部材１６６が回転すると、明色部１６７ｇと透光部１６６ｇが一致する多数の明色領域が、同時に、回転部１６５の中心から外側又は、外側から中心側に移動しているように見え、遊技者に幻想的な印象を与えるようになっている。
【００２９】
なお、本実施形態では、前面部材１６６側に、前面部材１６６の回転動中心を通る半径に対して傾斜した暗色着色部１６６ｆと透光部１６６ｇが形成されているが、基板１６７側に、前面部材１６６の回転動中心を通る半径に対して傾斜した暗色部１６７ｆと明色部１６７ｇを形成しても差し支えない。また、前面部材１６６と基板１６７の両方に、前面部材１６６の回転動中心を通る半径に対して傾斜した暗色着色部１６６ｆと透光部１６６ｇ及び暗色部１６７ｆと明色部１６７ｇを形成しても差し支えない。
【００３０】
（総括）
以上説明した実施形態では、透光部１５６ａ、１６６ａを透明な合成樹脂で構成しているが、前面部材１５６、１６６に窓穴を開けることにより透光部１５６ａ、１６６ａを構成しても差し支えない。
また、以上説明した実施形態では、前面部材１５６、１６６が基板１５７、１６７に対して回転するようになっているが、基板１５７、１６７側を回転させても差し支えなく、或いは、前面部材１５６、１６６と基板１５７、１６７の両方を回転させても差し支えない。
以上説明した実施形態では、前面部材１５６、１６６、基板１５７、１６７は円盤形状であるが、前面部材１５６、１６６、基板１５７、１６７は楕円形状、星形形状、三角形状、四角形状等であっても差し支えない。
【００３１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うパチンコ遊技機もまた技術的範囲に包含されるものとして理解されなければならない。      
【符号の説明】
【００３２】
１        パチンコ遊技機
１１０    遊技盤
１１０ａ  遊技釘
１１１    装飾図柄表示装置
１１２    遊技領域
１１３    風車
１１４    第１始動口
１１５    第２始動口
１１５ａ  可動片
１１６    入賞ゲート
１１７    大入賞口
１１７ｃ  大入賞口開閉扉
１１８    回収口
１１９    一般入賞口
１３２、１３３  レール
１５０    演出用役物装置
１５１    基部
１５２    スライドレール
１５５    回転部
１５６    回転部（第１の実施形態）
１５６ａ  暗色着色部
１５６ｂ  透光部
１５７    基板（第１の実施形態）
１５７ａ  中心模様部
１５７ｂ  中間模様部
１５７ｃ  外側模様部
１５７ｄ  暗色部
１５７ｅ  明色部
１５８    モータ
１５９    ベース部材
１６５    回転部（第２の実施形態）
１６６    前面部材（第２の実施形態）
１６６ａ  第１の模様部
１６６ｂ  第２の模様部
１６６ｃ  第３の模様部
１６６ｄ  第４の模様部
１６６ｅ  第５の模様部
１６６ｆ  暗色着色部
１６６ｇ  透光部
１６７    基板（第２の実施形態）
１６７ａ  第１の模様部
１６７ｂ  第２の模様部
１６７ｃ  第３の模様部
１６７ｄ  第４の模様部
１６７ｅ  第５の模様部
１６７ｆ  暗色部
１６７ｇ  明色部
２００    前面枠
２０１    ガラス板
２０２    ハンドル
２０３    受皿
【図１】
2011130792.tif 000003
【図２】
2011130792.tif 000004
【図４】
2011130792.tif 000005
【図５】
2011130792.tif 000006
【図６】
2011130792.tif 000007
【図７】
2011130792.tif 000008
【図８】
2011130792.tif 000009
【図９】
2011130792.tif 000010
【図３】
2011130792.tif 000011